(57)【特許請求の範囲】
【請求項１】
タブを有する雄端子金具を装着可能な雄ハウジングと、
前記雄ハウジングと嵌合可能で、かつ雌端子金具を装着可能な複数の雌サブハウジングを有する雌ハウジングと、
前記雄ハウジングに対して相対移動可能に組み付けられ、前記雄端子金具を位置決めして挿入可能な位置決め孔を有し、嵌合過程で前記雌ハウジングに押動されて前記タブの前記位置決め孔からの突出量を増加させるムービングプレートとを備えたコネクタであって、
前記複数の雌サブハウジングのそれぞれには第１識別部が形成され、
前記ムービングプレートには、前記雌サブハウジングが前記雄ハウジングと嵌合関係にある場合には前記第１識別部と凹凸嵌合して嵌合動作を進める一方、前記雌サブハウジングが前記雄ハウジングと嵌合関係にない場合には前記第１識別部と対応せずに嵌合動作を規制する第２識別部が形成され、且つ、
前記ムービングプレートは、前記位置決め孔を有して両ハウジングの嵌合過程で前記雌ハウジングに押接されるプレート本体と、前記プレート本体の周縁から突出する筒状の周板部とを有し、
前記第２識別部は、前記周板部に一体に連結されたリブ状の形態であることを特徴とするコネクタ。
【請求項２】
前記雌ハウジングは、前記複数の雌サブハウジングを収容可能なフレームを有していることを特徴とする請求項１記載のコネクタ。
【請求項３】
前記雌雄の両ハウジングはレバーの倍力機構によって相互の嵌合動作が助勢されるようになっており、
前記フレームには、前記レバーが回転可能に装着される支軸、又は前記レバーのカム溝と係合可能なカムピンが形成されていることを特徴とする請求項２記載のコネクタ。
【請求項４】
前記雌サブハウジングが前記雄ハウジングと嵌合関係にない場合、前記レバーの回動動作が開始可能な状態となる前に、前記第１、第２識別部が不整合となっていることを判別可能とされることを特徴とする請求項３記載のコネクタ。
【請求項５】
前記雌サブハウジングは、極数を異にする複数種によって構成され、前記第１識別部は、複数種の前記雌サブハウジングのそれぞれと対応する複数種によって構成されていることを特徴とする請求項２ないし４のいずれか１項記載のコネクタ。
【請求項６】
複数種の前記雌サブハウジングのそれぞれには第３識別部が形成され、
前記フレームには、前記雌サブハウジングがこのフレームにおける正規の収容位置と対応する場合には前記第３識別部と凹凸嵌合して収容動作を進める一方、前記雌サブハウジングが正規の収容位置と対応しない場合には前記第３識別部と対応せずに収容動作を規制する第４識別部が形成されていることを特徴とする請求項５記載のコネクタ。
【請求項７】
前記雄ハウジングは複数の雄サブハウジングを有し、前記複数の雄サブハウジングのそれぞれには第５識別部が形成され、
前記ムービングプレートには、前記第２識別部が形成される面とは反対側の面に、前記雄サブハウジングが正規の組付位置と対応する場合には前記第５識別部と凹凸嵌合して組み付け動作を進める一方、前記雄サブハウジングが正規の組付位置と対応しない場合には前記第５識別部と対応せずに組み付け動作を規制する第６識別部が形成されていることを特徴とする請求項１ないし６のいずれか１項記載のコネクタ。
【発明の詳細な説明】
【技術分野】
【０００１】
本発明は、コネクタに関する。
【背景技術】
【０００２】
特許文献１には、従来のコネクタが開示されている。このものは、複数のサブハウジング及びこれらを収容するフレームからなる雌ハウジングと、雌ハウジングと嵌合可能なフード状の雄ハウジングとによって構成される。雄ハウジングの奥壁には、検知部が突出して形成され、各サブハウジングには、検知部の検知溝と対応する位置に、識別リブが形成されている。サブハウジングがフレームに正しく収容されている場合には、検知部の検知溝に識別リブが凹凸嵌合して両ハウジングの嵌合動作が進行する一方、サブハウジングがフレームに正しく収容されていない場合には、検知部の検知溝に識別リブが対応せずに両ハウジングの嵌合動作が規制され、これによりサブハウジングの誤組付が防止されるようになっている。
【先行技術文献】
【特許文献】
【０００３】
【特許文献１】特開２００６−１２５０１公報
【発明の概要】
【発明が解決しようとする課題】
【０００４】
上記の構成では、サブハウジングの個数分だけ検知溝の形状又は配置が異なる検知部を用意しなければならない上、それに合わせて雄ハウジング全体の形状を変更しなければならず、コストが高くつくおそれがある。
本発明は上記のような事情に基づいて完成されたものであって、サブハウジングの誤嵌合を防止した上で、コストの上昇を抑えることを目的とする。
【課題を解決するための手段】
【０００５】
上記の目的を達成するための手段として、請求項１の発明は、タブを有する雄端子金具を装着可能な雄ハウジングと、前記雄ハウジングと嵌合可能で、かつ雌端子金具を装着可能な複数の雌サブハウジングを有する雌ハウジングと、前記雄ハウジングに対して相対移動可能に組み付けられ、前記雄端子金具を位置決めして挿入可能な位置決め孔を有し、嵌合過程で前記雌ハウジングに押動されて前記タブの前記位置決め孔からの突出量を増加させるムービングプレートとを備えたコネクタであって、前記複数の雌サブハウジングのそれぞれには第１識別部が形成され、前記ムービングプレートには、前記雌サブハウジングが前記雄ハウジングと嵌合関係にある場合には前記第１識別部と凹凸嵌合して嵌合動作を進める一方、前記雌サブハウジングが前記雄ハウジングと嵌合関係にない場合には前記第１識別部と対応せずに嵌合動作を規制する第２識別部が形成され、且つ、前記ムービングプレートは、前記位置決め孔を有して両ハウジングの嵌合過程で前記雌ハウジングに押接されるプレート本体と、前記プレート本体の周縁から突出する筒状の周板部とを有し、前記第２識別部は、前記周板部に一体に連結されたリブ状の形態であるところに特徴を有する。
【０００６】
請求項２の発明は、請求項１に記載のものにおいて、前記雌ハウジングは、前記複数の雌サブハウジングを収容可能なフレームを有しているところに特徴を有する。
【０００７】
請求項３の発明は、請求項２に記載のものにおいて、前記雌雄の両ハウジングはレバーの倍力機構によって相互の嵌合動作が助勢されるようになっており、前記フレームには、前記レバーが回転可能に装着される支軸、又は前記レバーのカム溝と係合可能なカムピンが形成されているところに特徴を有する。
【０００８】
請求項４の発明は、請求項３に記載のものにおいて、前記雌サブハウジングが前記雄ハウジングと嵌合関係にない場合、前記レバーの回動動作が開始可能な状態となる前に、前記第１、第２識別部が不整合となっていることを判別可能とされるところに特徴を有する。
【０００９】
請求項５の発明は、請求項２ないし４のいずれか１項に記載のものにおいて、前記雌サブハウジングは、極数を異にする複数種によって構成され、前記第１識別部は、複数種の前記雌サブハウジングのそれぞれと対応する複数種によって構成されているところに特徴を有する。
【００１０】
請求項６の発明は、請求項５に記載のものにおいて、複数種の前記雌サブハウジングのそれぞれには第３識別部が形成され、前記フレームには、前記雌サブハウジングがこのフレームにおける正規の収容位置と対応する場合には前記第３識別部と凹凸嵌合して収容動作を進める一方、前記雌サブハウジングが正規の収容位置と対応しない場合には前記第３識別部と対応せずに収容動作を規制する第４識別部が形成されているところに特徴を有する。
【００１１】
請求項７の発明は、請求項１ないし６のいずれか１項に記載のものにおいて、前記雄ハウジングは複数の雄サブハウジングを有し、前記複数の雄サブハウジングのそれぞれには第５識別部が形成され、前記ムービングプレートには、前記第２識別部が形成される面とは反対側の面に、前記雄サブハウジングが正規の組付位置と対応する場合には前記第５識別部と凹凸嵌合して組み付け動作を進める一方、前記雄サブハウジングが正規の組付位置と対応しない場合には前記第５識別部と対応せずに組み付け動作を規制する第６識別部が形成されているところに特徴を有する。
【発明の効果】
【００１２】
＜請求項１の発明＞
雌サブハウジングが雄ハウジングと嵌合関係にあれば、ムービングプレートの第２識別部が雌サブハウジングの第１識別部と凹凸嵌合して嵌合動作が進められるが、雌サブハウジングが雄ハウジングと嵌合関係になければ、ムービングプレートの第２識別部が雌サブハウジングの第１識別部と対応せずに嵌合動作が規制される。したがって、雌サブハウジングの誤嵌合が防止される。
【００１３】
この場合に、第２識別部がムービングプレートに形成されているから、各雌サブハウジングに合わせて第２識別部を複数用意しなければならない場合でも、ムービングプレートの形状を変更するだけでこれに対応することができ、雄ハウジング全体の形状を変更する必要はない。その結果、コストが高くつくのが抑えられる。
【００１４】
＜請求項２の発明＞
雌ハウジングが複数の雌サブハウジングを収容可能なフレームを有しており、第１識別部が雌サブハウジングに形成されているから、第１識別部がフレームに形成される場合と違って、複数の雌サブハウジングでフレームを共用することができる。その結果、コスト高となるのがより有効に抑えられる。
【００１５】
＜請求項３の発明＞
フレームに支軸又はカムピンが形成されているため、これが雌サブハウジングに形成される場合と違って、雌サブハウジングの形状を簡素化できる。
【００１６】
＜請求項４の発明＞
両ハウジングが嵌合関係にない場合、レバーの回動動作が開始可能な状態となる前に、第１、第２識別部が不整合となっていることを判別可能とされるから、両ハウジングが誤嵌合関係のままレバーの倍力機構がはたらくのを回避できる。
【００１７】
＜請求項５の発明＞
雌サブハウジングが極数を異にする複数種によって構成され、第１識別部が複数種の雌サブハウジングのそれぞれと対応する複数種によって構成されているから、識別機能の信頼性が高められる。
【００１８】
＜請求項６の発明＞
雌サブハウジングがフレームにおける正規の収容位置と対応していれば、雌サブハウジングの第３識別部がフレームの第４識別部と凹凸嵌合して雌サブハウジングの収容動作が進められるが、雌サブハウジングが正規の収容位置と対応していなければ、第３識別部が第４識別部と対応せずに収容動作が規制されるため、雌サブハウジングがフレームに誤って収容されるのを回避できる。
【００１９】
＜請求項７の発明＞
雄サブハウジングが正規の組付位置と対応していれば、雄サブハウジングの第５識別部がムービングプレートの第６識別部と凹凸嵌合して組み付け動作が進められるが、雄サブハウジングが正規の組付位置と対応していなければ、第５識別部が第６識別部と対応せずに組み付け動作が規制されるため、雄サブハウジングが誤って組み付けられるのを回避できる。この場合、ムービングプレートに第２、第６識別部が形成されているため、雄ハウジングの構成を簡素化できる。
【図面の簡単な説明】
【００２０】
【図１】本発明の実施形態１のコネクタにおいて、嵌合初期状態にある両ハウジングの断面図である。
【図２】嵌合途中状態にある両ハウジングの断面図である。
【図３】正規嵌合状態にある両ハウジングの断面図である。
【図４】第１、第２識別部によって互いの嵌合動作が規制された両ハウジングの断面図である。
【図５】第５、第６識別部によって雄サブハウジングの嵌合動作が規制された雄ハウジングの断面図である。
【図６】雄サブハウジングを組み付ける前の雄ハウジングの断面図である。
【図７】レバーを装着した雄ハウジングの側面図である。
【図８】ムービングプレートを装着した雄ハウジングの正面図である。
【図９】別のムービングプレートを装着した雄ハウジングの正面図である。
【図１０】雄サブハウジングを収容する前の雄サブハウジングの断面図である。
【図１１】雄サブハウジングの断面図である。
【図１２】雄サブハウジングの正面図である。
【図１３】フレームの正面図である。
【図１４】フレームの断面図である。
【図１５】雌サブハウジングを組み付けた雌ハウジングの正面図である。
【図１６】別の雌サブハウジングを組み付けた雌ハウジングの正面図である。
【図１７】雌サブハウジングを組み付ける前の雌ハウジングの断面図である。
【図１８】極数が異なる複数種の雌サブハウジングの正面図である。
【図１９】雌サブハウジングの断面図である。
【図２０】本発明の実施形態２のコネクタにおけるフレームの正面図である。
【図２１】極数が異なる複数種の雌サブハウジングの正面図である。
【発明を実施するための形態】
【００２１】
＜実施形態１＞
本発明の実施形態１を図１ないし図１９によって説明する。本実施形態のコネクタは、互いに嵌合可能な雌雄の両ハウジング１０、５０と、両ハウジング１０、５０に装着される雌雄の両端子金具４０、９０とを備えて構成される。なお、以下の説明において、前後方向については両ハウジング１０、５０の相互の嵌合面側を前方とする。
【００２２】
雌ハウジング５０は合成樹脂製であって、図１７に示すように、前後両面が開口された四角枠状のフレーム５１と、フレーム５１に収容される複数の雌サブハウジング５２とからなる。フレーム５１には、図１３に示すように、各雌サブハウジング５２を収容可能な雌サブハウジング収容室５３が上下３段に分かれて形成され、上下で隣接する雌サブハウジング収容室５３間には、各雌サブハウジング収容室５３を仕切る仕切壁５４が水平に形成されている。図１４に示すように、仕切壁５４の中央部には凹部５５が形成され、凹部５５の奥端が仕切壁５４の左右両側部よりも後方へ控えて配されている。
【００２３】
雌サブハウジング収容室５３の左右両側には、雌サブハウジング５２を係止可能な雌サブハウジングロック片５６が前方へ突出して形成されている。また、雌サブハウジング収容室５３の左右両側には、雌サブハウジングロック片５６よりも内側の位置に、雌サブハウジング５２の前方への抜けを規制する規制壁５７が垂直に形成されている。雌サブハウジング収容室５３における規制壁５７の両側外方で、かつ雌サブハウジングロック片５６の上方には、後述する第２識別部が進入可能な進入空間５８が前面及び側面に開口して形成されている。
【００２４】
フレーム５１の上下両端面の中央部には、後述するレバー２０のカム溝２５と係合可能なカムピン５９が突出して形成されている。カムピン５９は、前後方向にやや細長い柱状をなし、その後方にガイドリブ６０が前後に延出して形成されている。また、フレーム５１の上下両端面には、レバー２０の仮係止状態を解除可能な解除リブ６１がカムピン５９及びガイドリブ６０と平行に並んで形成されている。フレーム５１の片側後端には、レバー２０の本係止状態を保持可能な突片状のレバーロック部６２が後方へ突出して形成されている。
【００２５】
雌サブハウジング５２は、図１８に示すように、極数を異にする６種類によって構成され、この中から３種類が選択されてフレーム５１に組み付けられるようになっている。各雌サブハウジング５２は、扁平角ブロック状をなし、図１９に示すように、その内部に、複数のキャビティ６３が前後方向に形成されている。各キャビティ６３内には後方から雌端子金具９０が挿入され、挿入された雌端子金具９０は各キャビティ６３の内面に形成されたランス６４によって弾性的に抜け止めされるようになっている。
【００２６】
雌端子金具９０は導電性の金属板を曲げ加工等して一体に成形され、角筒状の接続部９１と、接続部９１の後方に位置するオープンバレル状のバレル部９２とを有する。接続部９１内には前方から相手の雄端子金具４０が進入して接続され、バレル部９２には電線Ｗ１の端末部が接続されている。本実施形態の場合、電線径のサイズに応じて大中小３種類の雌端子金具９０が用意されている。
【００２７】
各雌サブハウジング５２の左右両側面の前部には、その後方の部分に比べて一段落ちた凹所６５が形成されている。また、図１７に示すように、各雌サブハウジング５２の左右両側面には、凹所６５の奥端から後方へ延びる溝状の第１識別部６６が形成されている。この第１識別部６６は、前面及び側面外方に開口するとともに、その延び方向の途中に段差面６７を有し、段差面６７を境とした後方の溝面が前方の溝面よりも外側に位置するようにされている。第１識別部６６内には、図１に示すように、段差面６７の後方でかつ後方の溝面の内側に、雌端子金具９０を二次的に抜け止めするリテーナ６８の側板６９が収容されている。
【００２８】
第１識別部６６の形状は極数の異なる複数種の雌サブハウジング５２に共通とされる一方、第１識別部６６の配置は複数種の雌サブハウジング５２毎に異なっている。つまり、第１識別部６６の配置のパターンは、各雌サブハウジング５２と種類数と同じ６種類とされている。詳しくは、第１識別部６６は、図１８において上から順に示すように、２８極の雌サブハウジング５２ではその右側面の上端と左側面の上下方向中央より少し上方とに配され、１８極の雌サブハウジング５２ではその両側面の上下方向中央より少し上方に配され、６極の雌サブハウジング５２ではその両側面の上下方向中央に配され、２６極の雌サブハウジング５２ではその両側面の上端に配され、２２極の雌サブハウジング５２ではその右側面の上端と左側面の上下方向中央とに配され、１９極の雌サブハウジング５２ではその右側面の上下方向中央と左側面の上端とに配されている。端的には、第１識別部６６は、雌サブハウジング５２の両側面のそれぞれにおける高さ位置を異ならせて配されている。また、第１識別部６６は、図１５に示すように、雌サブハウジング収容室５３に収容された状態ではいずれも進入空間５８に連通して配されている。
【００２９】
図１７に示すように、雌サブハウジング５２の左右両側面には、第１識別部６６の下方に、フレームロック部７０が形成されている。フレームロック部７０は、第１識別部６６と平行に配されるフレームロック溝７１と、フレームロック溝７１の前端を区画するフレームロック面７２とを有している。雌サブハウジング５２がフレーム５１の雌サブハウジング収容室５３に正規挿入されると、雌サブハウジングロック片５６の先端部がフレームロック溝７１に外側から嵌るとともに、フレームロック面７２に係止可能に配され、もって雌サブハウジング５２のフレーム５１からの抜け出しが規制されるようになっている。なお、本実施形態の場合、図１５及び図１６に示すように、雌ハウジング５０は、一つのフレーム５１を共用しつつ、極数違いの雌サブハウジングが選択的に装着されることで、２種類の嵌合パターンを有している。
【００３０】
雄ハウジング１０は合成樹脂製であって、図１０に示すように、ホルダ１１と、ホルダ１１に収容される複数の雄サブハウジング１２とからなる。ホルダ１１は、四角枠状のハウジング収容部１３と、ハウジング収容部１３の周縁から前方に突出する四角筒状のフード部１４とからなる。
【００３１】
ハウジング収容部１３には、各雄サブハウジング１２を収容可能な雄サブハウジング収容室１５が上下３段に分かれて形成され、上下で隣接する雄サブハウジング収容室１５間には、各雄サブハウジング収容室１５を仕切る隔壁１７が水平に形成されている。雄サブハウジング収容室１５の左右両側には、雄サブハウジング１２を係止可能な雄サブハウジングロック片１６が前方へ突出して形成されている。また、雄サブハウジング収容室１５の左右両側には、各雄サブハウジング１２の前方への抜けを規制する当止壁１８が垂直に形成されている。雄サブハウジング収容室１５における当止壁１８の両側外方で、かつ雄サブハウジングロック片１６の上方には、後述する第６識別部が進入可能な挿入空間１９が前面及び側面内方に開口して形成されている。
【００３２】
ホルダ１１の上下両端面の中央部には、図７及び図８に示すように、ハウジング収容部１３とフード部１４との境界位置に、レバー２０を回動可能に支持する円柱状の支軸２１が突出して形成されている。レバー２０は合成樹脂製であって、上下方向に延びる操作部２２と、操作部２２の両端から突出する板状のアーム部２３とからなり、全体として門型をなしている。アーム部２３には支軸２１を受ける軸受け孔２４が貫通して形成されており（図１０を参照）、レバー２０は支軸２１を中心として仮係止位置と本係止位置との間を回動可能とされている。アーム部２３にはカム溝２５が開口して形成され、両ハウジング１０、５０の嵌合過程では、カム溝２５に沿ってカムピン５９が相対移動可能とされている。また、アーム部２３には、仮係止位置にてホルダ１１に係止される仮係止片２６が撓み可能に形成されている。操作部２２の中央部には、本係止位置にてレバーロック部６２に係止されるフレームロック片２７が撓み可能に形成されている。
【００３３】
フード部１４の上下両壁の中央部には、前方からカムピン５９及びガイドリブ６０を受ける導入溝２８が前後方向に延出するとともに前端に開口して形成されている。導入溝２８は仮係止位置にあるレバー２０のカム溝２５と連通して配されている。また、フード部１４の上下両壁には、前方から解除リブ６１を受ける受け溝２９が導入溝２８と並んで形成されている。受け溝２９の溝縁には、仮係止位置にあるレバー２０の仮係止片２６が引掛状態で係止可能とされている。
【００３４】
雄サブハウジング１２は、雌サブハウジング５２と対応して、極数の異なる６種類によって構成される。各雄サブハウジング１２は、図１１及び図１２に示すように、扁平角ブロック状をなし、その内部に、複数のキャビティ３０が前後方向に形成されている。各キャビティ３０内には後方から雄端子金具４０が挿入され、挿入された雄端子金具４０は各キャビティ３０の内面に形成されたランス３１によって弾性的に抜け止めされるようになっている。
【００３５】
雄端子金具４０は導電性の金属板を曲げ加工等して一体に成形され、前方に突出するタブ４１と、タブ４１の後方に位置するオープンバレル状のかしめ部４２とを有する。タブ４１は両ハウジング１０、５０の正規嵌合時に相手の雌端子金具９０の接続部９１内に挿入して接続され、かしめ部４２は電線Ｗ２の端末部に接続される。雄端子金具４０がキャビティ３０内に正規挿入されると、かしめ部４２がキャビティ３０内に配される一方、タブ４１が雄サブハウジング１２の前面から前方へ突出して配されるようになっている。本実施形態の場合、電線径のサイズに応じて大中小３種類の雄端子金具４０が用意されている。
【００３６】
各雄サブハウジング１２の左右両側面の前部には、その後方の部分に比べて一段落ちた凹陥部３２が形成されている。また、各雄サブハウジング１２の左右両側面には、図１０に示すように、凹陥部３２の奥端から後方へ延びる溝状の第５識別部３３が形成されている。この第５識別部３３は、前面及び側面外方に開口するとともに、その延び方向の途中に段差面３４を有し、段差面３４を境とした後方の溝面が前方の溝面よりも外側に位置するようにされている。第５識別部３３内には、図１に示すように、段差面３４の後方でかつ後方の溝面の内側に、雄端子金具４０を二次的に抜け止めするリテーナ３５の一部が収容されている。
【００３７】
第５識別部３３の形状は極数の異なる複数種の雄サブハウジング１２に共通とされる一方、第５識別部３３の配置は複数種の雄サブハウジング１２毎に異なっている。本実施形態の場合、第５識別部３３は、雄サブハウジング１２の両側面のそれぞれにおける高さ位置を異ならせて配されている。また、第５識別部３３は、雄サブハウジング収容室１５に収容された状態ではいずれも挿入空間１９に対向して配されている。
【００３８】
雄サブハウジング収容室１５の左右両側面には、第５識別部３３の下方に、ホルダロック部３６が形成されている。ホルダロック部３６は、第５識別部３３と平行に配されるホルダロック溝３７と、ホルダロック溝３７の前端を区画するホルダロック面３８とを有している。雄サブハウジング１２がハウジング収容部１３の雄サブハウジング収容室１５に正規挿入されると、雄サブハウジングロック片１６の先端部がホルダロック溝３７に外側から嵌るとともに、ホルダロック面３８に係止可能に配され、もって雄サブハウジング１２のホルダ１１からの抜け出しが規制されるようになっている。
【００３９】
さて、フード部１４内には、ムービングプレート１００が組み込まれている。ムービングプレート１００は合成樹脂製であって、全体としてキャップ状をなし、フード部１４内にその内部を覆うように配される四角板状のプレート本体１０１と、プレート本体１０１の周縁から前方へ突出する四角筒状の周板部１０２とからなる。周板部１０２の上下両壁には、図６に示すように、フード部１４の導入溝２８及び受け溝２９と連通する切り欠き部１０３が形成されている。
【００４０】
プレート本体１０１には、雄端子金具４０のタブ４１を位置決め状態で挿入可能な複数の位置決め孔１０４が貫通して形成されている。各位置決め孔１０４は、対応するタブ４１のサイズと同一又は少し大きい開口径を有するとともに、対応するタブ４１と前後方向に同軸に配されている。ここで、ムービングプレート１００は、プレート本体１０１がフード部１４の奥面（ハウジング収容部１３の前面）から離れて配される初期位置（図１を参照）と、初期位置から両ハウジング１０、５０の嵌合動作に伴って雌ハウジング５０に押動されて後退し、プレート本体１０１がフード部１４の奥面に近接して配される嵌合位置（図３を参照）とに移動可能とされている。初期位置では、タブ４１の、位置決め孔１０４から前方への突出量が小さく抑えられ、嵌合位置では、タブ４１の、位置決め孔１０４から前方への突出量が大きく増加するようになっている。
【００４１】
プレート本体１０１の前面には、両ハウジング１０、５０の嵌合時に雌ハウジング５０の仕切壁５４と対向して連なる連続壁１０５が水平に形成されている。プレート本体１０１の前面には、図８に示すように、連続壁１０５によって上下３段の雌サブハウジング嵌合領域１０６が画成されている。連続壁１０５の中央部には突部１０７が形成され、突部１０７の突端が連続壁１０５の左右両側部よりも前方へ突出して配されている。両ハウジング１０、５０の嵌合時には、突部１０７が凹部５５と嵌合し、これによってムービングプレート１００と雌ハウジング５０との間の位置ずれが規制されるようになっている。
【００４２】
プレート本体１０１における各雌サブハウジング嵌合領域１０６の左右両側には、雄サブハウジングロック片１６の先端が臨む窓部１０８が開口して形成されている。雄サブハウジングロック片１６とホルダロック部３６との係止状態は窓部１０８を通して視認可能とされている。
また、プレート本体１０１の前面における各雌サブハウジング嵌合領域１０６の左右両側部で、かつ窓部１０８の上方には、第１識別部６６と整合して凹凸嵌合可能な第２識別部１０９が前方へ突出して形成されている。第２識別部１０９は、図１０に示すように、前後方向に延びるとともにその側縁が周板部１０２の左右両側壁と一体に連結された角柱状の突出リブ１１０と、突出リブ１１０の内面における所定の高さ位置から内側へ張り出す第２識別本体１１１とからなる。第２識別本体１１１は突出リブ１１０の全長に亘って延びる形状をなしている。突出リブ１１０に対する第２識別本体１１１の配置（高さ位置）は、対応する第１識別部６６の配置（高さ位置）に応じて設定されている。
【００４３】
雌サブハウジング５２と雄サブハウジング１２とが正しい組み合わせで正対している場合、つまり同極数のサブハウジング同士が正対している場合、第２識別部１０９の第２識別本体１１１が第１識別部６６の後部（段差面６７を境とした第１識別部６６の後方領域）に凹凸嵌合して両ハウジング１０、５０の嵌合動作がそのまま進行するようになっている。一方、雌サブハウジング５２と雄サブハウジング１２とが正しい組み合わせで正対していない場合、つまり同極数のサブハウジング同士が正対していない場合、第２識別部１０９の第２識別本体１１１が凹所６５の奥端に当接して両ハウジング１０、５０のそれ以上の嵌合動作が規制されるようになっている。
【００４４】
プレート本体１０１の後面には、第２識別部１０９と背中合わせの位置に、第５識別部３３と整合して凹凸嵌合可能な第６識別部１１２が後方へ突出して形成されている。第６識別部１１２は、突出リブ１１０よりも薄肉に形成された片持ち状でかつ角柱状の突出片１１３と、突出片１１３の内面における所定の高さ位置から内側へ張り出す第６識別本体１１４とからなる。第６識別本体１１４は突出片１１３の全長に亘って延びる形状をなしている。突出片１１３に対する第６識別本体１１４の配置（高さ位置）は、対応する第５識別部３３の配置（高さ位置）に応じて設定されている。
【００４５】
雄サブハウジング１２が雄サブハウジング収容室１５に正しい組み合わせで正対している場合、第６識別部１１２の第６識別本体１１４が第５識別部３３の後部（段差面３４を境とした第５識別部３３の後方領域）に凹凸嵌合して雄サブハウジング１２の組み付け動作がそのまま進行するようになっている。一方、雄サブハウジング１２が雄サブハウジング収容室１５に正しい組み合わせで正対していない場合、第６識別部１１２の第６識別本体１１４が凹陥部３２の奥端に当接して雄サブハウジング１２の組み付け動作が規制されるようになっている。なお、本実施形態の場合、雄ハウジング１０は、図８及び図９に示すように、位置決め孔１０４の個数を異にするムービングプレート１００が選択的に装着されることで。図１５及び図１６に示す雌ハウジング５０のそれぞれと対応する嵌合パターンを有している。
【００４６】
次に、本実施形態のコネクタの作用を説明する。
図１７に示すように、フレーム５１の雌サブハウジング収容室５３に後方から雌サブハウジング５２を挿入する。正規挿入された雌サブハウジング５２は、その前面が規制壁５７に当て止めされるとともに、フレームロック部７０が雌サブハウジングロック片５６に弾性的に係止され、もってフレーム５１に抜け止め状態に保持される。なお、雌サブハウジング５２の挿入に際し、雌サブハウジング５２の外面に色付け等を施すことで、雌サブハウジング５２の誤組付が回避される。
【００４７】
一方、雄ハウジング１０については、ホルダ１１にレバー２０を装着して仮係止位置に保持させるとともに、フード部１４内にムービングプレート１００を装着して初期位置に保持させる。初期位置では、周板部１０２の前端がフード部１４の前端（開口端）とほぼ同じ前後位置に配されるとともに、第６識別部１１２がホルダ１１の挿入空間１９に前方から挿入される。続いて、ホルダ１１の雄サブハウジング収容室１５に後方から雄サブハウジング１２を挿入する。
【００４８】
正規挿入された雄サブハウジング１２は、その前面が当止壁１８に当て止めされるとともに、ホルダロック部３６が雄サブハウジングロック片１６に弾性的に係止され、かつ、第６識別本体１１４が第５識別部３３内に前方から挿入され、もってホルダ１１に抜け止め保持される。これに対し、図５に示すように、雄サブハウジング１２が正規とは異なる雄サブハウジング収容室１５に挿入されようとすると、第６識別部１１２が第５識別部３３と不整合とされて雄サブハウジング１２の前端部（凹陥部３２の奥端）に突き当たる。このため、ホルダロック部３６が雄サブハウジングロック片１６との係止位置に至ることができず、雄サブハウジング１２の組付動作が規制され、もって雄サブハウジング１２の誤組付が回避される。
【００４９】
続いて、両ハウジング１０、５０を互いに正対させ、その状態で、図１に示すように、雄ハウジング１０のフード部１４内に前方から雌ハウジング５０をフレーム５１ごと挿入する。このとき、ムービングプレート１００の第２識別部１０９の突出リブ１１０がフレーム５１の進入空間５８に前方から挿入されるとともに、第２識別部１０９の第２識別本体１１１が雌サブハウジング５２の第１識別部６６内に前方から挿入される。また、ムービングプレート１００のプレート本体１０１が各雌サブハウジング５２の前面に押接されるとともに、フレーム５１の解除リブ６１が仮係止片２６と当接してこれを係止解除方向に撓み変形させることで、レバー２０の回動動作が許容される。
【００５０】
操作部２２を摘みながらレバー２０を本係止位置に向けて回動すると、カムピン５９がカム溝２５に沿って相対変位してカム機構が発揮されるとともに、図２に示すように、ムービングプレート１００がフード部１４の奥面に向けて後退し、かつ第６識別部１１２の第６識別本体１１４が第５識別部３３内に深く挿入される。レバー２０が本係止位置に到達すると、図３に示すように、ムービングプレート１００のプレート本体１０１が両サブハウジング１２、５２間に挟持されるとともに、雌雄の両端子金具４０、９０が正規深さで接続される。また、フレームロック片２７がレバーロック部６２を弾性的に係止して、レバー２０がロックされ、それと同時に両ハウジング１０、５０が離脱規制状態に保持される。このとき、雌ハウジング５０はレバーロック部６２を除いてフード部１４内にすっぽりと収容される。
【００５１】
これに対し、図４に示すように、雌サブハウジング５２が正規とは異なる雌サブハウジング収容室５３に挿入されていて両ハウジング１０、５０が嵌合関係にない場合には、第２識別部１０９が第１識別部６６と不整合とされて雌サブハウジング５２の前端部（凹所６５の奥端）に突き当たり、それ以上の両ハウジング１０、５０の嵌合動作が規制される。また、このように第２識別部１０９が雌サブハウジング５２の前端部に突き当たったときには、フレーム５１の解除リブ６１が仮係止片２６による係止状態を解除する位置に至っておらず、レバー２０は仮係止位置に保たれていて回動動作を規制されている。したがって、両ハウジング１０、５０が誤嵌合関係のままレバー２０の倍力機構が作用することはなく、例えば、タブ４１の先端が雌サブハウジング５２の前端部をこついて折損等されることはない。
【００５２】
以上説明したように本実施形態によれば、両サブハウジング１２、５２が同じ極数同士で向き合う正規の嵌合関係にあれば、ムービングプレート１００の第２識別部１０９が雌サブハウジング５２の第１識別部６６と凹凸嵌合して嵌合動作が進められる一方、両サブハウジング１２、５２が異なる極数同士で向き合う非正規の嵌合関係にあれば、ムービングプレート１００の第２識別部１０９が雌サブハウジング５２の第１識別部６６と対応せずに嵌合動作が規制されるため、両サブハウジング１２、５２の誤嵌合が防止される。
【００５３】
また、両ハウジング１０、５０の嵌合パターンの変化に応じて第２識別部１０９を変更する必要がある場合には、ムービングプレート１００を変更することでこれに対応することができるため、雄ハウジング１０全体を変更しなくて済む。したがって、コスト高となるのが抑えられる。しかも、両ハウジング１０、５０の嵌合パターンの変化に応じて第１識別部６６を変更する必要がある場合には、雌サブハウジング５２を変更することでこれに対応することができるため、フレーム５１までも変更しなくて済む。このため、各雌サブハウジング５２でフレーム５１を共用することができ、コスト高となるのがより有効に抑えられる。
【００５４】
また、フレーム５１にカムピン５９が形成されているため、雌サブハウジング５２の形状を簡素化できる。また、レバー２０が仮係止位置に保持されていて回動動作を開始可能な状態にないときに、第１、第２識別部６６、１０９が不整合となっていることを判別できるから、両ハウジング１０、５０が誤嵌合関係のままレバー２０の倍力機構がはたらくのを回避できる。
【００５５】
また、雌サブハウジング５２が極数を異にする６種によって構成され、第１識別部６６がそれぞれの雌サブハウジング５２と対応する６種によって構成されているから、識別機能の信頼性が高められる。
【００５６】
さらに、雄サブハウジング１２がホルダ１１における正規の組付位置と対応していれば、雄サブハウジング１２の第５識別部３３がムービングプレート１００の第６識別部１１２と凹凸嵌合して組み付け動作が進められるが、雄サブハウジング１２が正規の組付位置と対応していなければ、第５識別部３３が第６識別部１１２と対応せずに組み付け動作が規制されるため、雄サブハウジング１２が誤って組み付けられるのを回避できる。この場合に、ムービングプレート１００に第２、第６識別部１０９、１１２が形成されているため、雄ハウジング１０の構成を簡素化できる。
【００５７】
＜実施形態２＞
本発明の実施形態２を図２０及び図２１によって説明する。実施形態２では、各雌サブハウジング５２とフレーム５１との間に凹凸の嵌め合いによって誤組付を防止する手段を有しており、この点で実施形態１とは異なる。その他は実施形態１と同様であり、実施形態１と同様の構成には同一符合を付し、重複する説明は省略する。
【００５８】
各雌サブハウジング５２の外面には、図２１に示すように、第３識別部７５が突出して形成されている。第３識別部７５は雌サブハウジング５２の種類に応じて所定の位置に配されている。本実施形態の場合、第３識別部７５は、極数を異にする６種類の雌サブハウジング５２のうちの２種類が同じ配置パターンを有し、全部で３種類の配置パターンを有している。
【００５９】
また、フレーム５１の上下両壁及び仕切壁５４には、図２０に示すように、雌サブハウジング収容室５３側を向く面に、第３識別部７５と凹凸嵌合可能な凹溝状の第４識別部７７が形成されている。第４識別部７７の配置は対応する第３識別部７５の配置に応じて設定され、各雌サブハウジング５２でフレーム５１が共用される点は実施形態１と同様である。
【００６０】
実施形態２によれば、雌サブハウジング５２が正規の雌サブハウジング収容室５３に挿入されようとすると、第３識別部７５が第４識別部７７と凹凸嵌合して雌サブハウジング５２の収容動作がそのまま進められる。これに対し、雌サブハウジング５２が正規とは異なる雌サブハウジング収容室５３に挿入されようとすると、第３識別部７５が第４識別部７７に不整合とされてフレーム５１の仕切壁５４の前端に当接し、雌サブハウジング５２のそれ以上の収容動作が規制される。したがって、雌サブハウジング５２がフレーム５１に誤って収容されるのを回避できる。
【００６１】
この場合、両ハウジング１０、５０を嵌合させる際には、雌サブハウジング５２の誤組付は第１、第２識別部６６、１０９によって規制されるから、雌サブハウジング５２の誤組付防止の信頼性が高められる。
【００６２】
＜他の実施形態＞
本発明は上記記述及び図面によって説明した実施形態に限定されるものではなく、例えば次のような実施形態も本発明の技術的範囲に含まれる。
（１）雌ハウジングは、フレームを有さず、複数の雌サブハウジングを積み重ねて互いに連結した雌型のブロックコネクタハウジングであってもよい。また、雄ハウジングは、ホルダを有さず、複数の雄サブハウジングを積み重ねて互いに連結した雄型のブロックコネクタハウジングであってもよい。
（２）雄ハウジングは、複数の雄サブハウジングを有さず、単一のコネクタハウジングからなるものであってもよい。
（３）レバーは雌ハウジングに装着され、雌ハウジングのフレームにはレバーを回動可能に支持する支軸が形成されるものであってもよい。
（４）第３識別部が凹み形成され、第４識別部が突出して形成されるものであってもよい。さらに、第５識別部が突出して形成され、第６識別部が凹み形成されるものであってもよい。
【符号の説明】
【００６３】
１０…雄ハウジング
１２…雄サブハウジング
２０…レバー
２１…支軸
２５…カム溝
３３…第５識別部
４０…雄端子金具
４１…タブ
５０…雌ハウジング
５１…フレーム
５２…雌サブハウジング
５９…カムピン
６６…第１識別部
７５…第３識別部
７７…第４識別部
１００…ムービングプレート
１０４…位置決め孔
１０９…第２識別部
１１２…第６識別部
【図１】
0005434312.tif 000002
【図２】
0005434312.tif 000003
【図３】
0005434312.tif 000004
【図４】
0005434312.tif 000005
【図５】
0005434312.tif 000006
【図６】
0005434312.tif 000007
【図７】
0005434312.tif 000008
【図８】
0005434312.tif 000009
【図９】
0005434312.tif 000010
【図１０】
0005434312.tif 000011
【図１１】
0005434312.tif 000012
【図１２】
0005434312.tif 000013
【図１３】
0005434312.tif 000014
【図１４】
0005434312.tif 000015
【図１５】
0005434312.tif 000016
【図１６】
0005434312.tif 000017
【図１７】
0005434312.tif 000018
【図１８】
0005434312.tif 000019
【図１９】
0005434312.tif 000020
【図２０】
0005434312.tif 000021
【図２１】
0005434312.tif 000022